(57)【要約】【課題】メータの通信頻度を低減して、通信による消費電力を削減し、かつ故障診断が容易で、収集データや通信の管理の煩雑さを解消したガスメータを提供すること。【解決手段】ガス流量を計測する流量計測部１１と、異常時にガス流路を遮断するガス遮断弁１２と、流量計測部の計測結果に基づき各種情報を生成・記憶する保安制御部１４と、監視センターと情報の送受信を行う無線モジュール１５と、無線の通信制御を行う無線制御部１６とを備え、保安制御部１４は、無線制御部１６のアラームを保安制御部１４のアラームに付加し、一括して監視センターへ送信する。メータの表示部に無線制御部のアラームおよび保安制御部のアラームを表示する。【選択図】図１
2020085542.tif 000002
【特許請求の範囲】
【請求項１】
ガス流量を計測する流量計測部と、
異常時にガス流路を遮断するガス遮断弁と、
前記流量計測部の計測結果に基づき各種の情報を生成して記憶する保安制御部と、
監視センターと送受信を行う無線モジュールと、
前記無線モジュールの制御を行う無線制御部と、を備え、
前記保安制御部は、前記無線制御部のアラームを、前記保安制御部で記憶した情報に付加し、監視センターへ送信することを特徴としたガスメータ。
【請求項２】
前記無線制御部は、前記保安制御部と同一基板上に構成した請求項１に記載のガスメータ。
【請求項３】
前記ガスメータの表示部に前記無線制御部のアラームおよび前記保安制御部のアラームを表示する請求項１または２に記載のガスメータ。
【発明の詳細な説明】
【技術分野】
【０００１】
本発明は、監視センターとの通信手段を有した、特に無線自動検針システムを構成するガスメータに関するものである。
【背景技術】
【０００２】
従来、この種の無線自動検針システムは、メータで検針したデータを含む情報を収集すべく有線回線を介してメータに設けられた無線機子機と、この無線機子機と通信を行う無線機親機から構成され、該無線機親機１台に対して無線機子機をＮ台接続することができるように無線機親機と無線機子機とが１対Ｎに構成されていた。
【０００３】
無線機親機は、特定小電力無線にて無線機子機との無線通信を行うと共に携帯電話回線、あるいはテレターミナル無線回線を介して監視センターの装置と通信している。（例えば、特許文献１参照）。また、メータの検針機能と無線通信機能を一体的に構成しているものもある（例えば、特許文献２参照）。
【０００４】
図２は、特許文献１に記載された従来の無線自動検針システムを示すものである。図２に示すように、従来の無線自動検針システムは、メータ１ａ、１ｂ〜１ｎ、各メータに接続された小電力無線機子機２ａ、２ｂ〜２ｎ、小電力無線機親機３、携帯電話無線モデム４、携帯電話基地局５、センター装置６、交換機７、センターモデム８から構成されている。
【先行技術文献】
【特許文献】
【０００５】
【特許文献１】特開２００１−１１１７０１号公報
【特許文献２】特許第４８５３２３１号公報
【発明の概要】
【発明が解決しようとする課題】
【０００６】
しかしながら、前記従来の構成では、小電力無線機子機は後付けの別体として、それぞれのメータに接続されおり、無線キャリアビジーなど無線通信異常に関するアラームは、ガス漏れやガス遮断などのメータのアラームとは別に、小電力無線機子機が独自に管理し、センター側装置へ報知していた。
【０００７】
そのためセンター側装置は、１件の需要家に対し無線のアラームとメータのアラームとをそれぞれ収集する必要があり、収集データや通信の管理が煩雑であるという課題を有していた。
【０００８】
また、メータの検針機能と無線通信機能を一体的に構成している特許文献２に記載の従来例においても同様に、アラームに関しては一体的に管理する旨の記載は無い。また、無線のアラームとメータのアラームをそれぞれ通信する必要があり、通信頻度が増えることで余分な消費電力となりメータの電池寿命に悪影響を及ぼしていた。
【０００９】
さらに、無線のアラームはガスメータの表示部に表示されないため、例えば内蔵するＬＥＤにより表示する構成においては、通常ＬＥＤはカバーで覆われており、異常状態をすぐに確認することができず、故障診断が容易ではないという課題を有していた。
【００１０】
本発明は、余分な通信による消費電力を削減し、故障診断が容易で、収集データや通信の管理の煩雑さを解消した、ガスメータを提供することを目的とする。
【課題を解決するための手段】
【００１１】
前記従来の課題を解決するために、本発明のガスメータは、ガス流量を計測する流量計測部と、異常時にガス流路を遮断するガス遮断弁と、流量計測部の計測結果に基づき各種の情報を生成して記憶する保安制御部と、監視センターと送受信を行う無線モジュールと、無線モジュールの制御を行う無線制御部と、を備え、前記保安制御部は、前記無線制御部のアラームを前記保安制御部で記憶した情報に付加し、監視センターへ送信するとしたものである。
【００１２】
これによって、メータのアラームと無線のアラームとを一括して取得することができるため、メータの通信頻度を低減でき、通信による消費電力を削減し、かつ監視センターの収集データや通信の管理の煩雑さを解消することができる。
【００１３】
また、前記保安制御部は、ガスメータの表示部に無線のアラームを表示することにより、監視センターと通信不能になった場合、表示部を確認することで、容易に故障診断が可能となる。
【発明の効果】
【００１４】
本発明のガスメータは、メータのアラームと無線のアラームを一括して監視センターへ送信するため、メータの通信頻度を低減でき、通信による消費電力を削減できる。また、監視センターの収集データや通信の管理の煩雑さを解消することができる。
【００１５】
また、前記保安制御部は、無線のアラームをガスメータの表示部に表示することにより、特に、監視センターと通信不能になった場合、容易に故障診断が可能となる。
【図面の簡単な説明】
【００１６】
【図１】本発明の実施の形態１のブロック図を示すものである。
【図２】従来の自動無線検針システムのブロック図を示すものである。
【発明を実施するための形態】
【００１７】
第１の発明は、ガス流量を計測する流量計測部と、異常時にガス流路を遮断するガス遮断弁と、流量計測部の計測結果に基づき各種の情報を生成して記憶する保安制御部と、監視センターと送受信を行う無線モジュールと、無線モジュールの制御を行う無線制御部とを備え、前記保安制御部は、前記保安制御部で記憶した情報に前記無線制御部のアラームを付加し、監視センターへ送信するとしたものである。
【００１８】
これによって、メータのアラームと無線のアラームとを一括して取得することができるため、メータの通信頻度を低減でき、通信による消費電力を削減し、かつ監視センターの収集データや通信の管理の煩雑さを解消することができる。
【００１９】
第２の発明は、特に、第１の発明の前記無線制御部と、前記保安制御部とを同一基板上に構成したものである。
これによって、より安価で単純な構成で第１の発明を実施することができる。
【００２０】
第３の発明は、特に、第１または第２の発明のガスメータの表示部に前記無線制御部のアラームおよび前記保安制御部のアラームを表示するとしたものである。
【００２１】
これによって、監視センターと通信不能になった場合、表示部を確認することで、容易に故障診断が可能となる。
【００２２】
以下、本発明の実施の形態について、図面を参照しながら説明する。なお、この実施の形態によって本発明が限定されるものではない。
【００２３】
（実施の形態１）
図１は、本発明の実施の形態１のブロック図を示すものである。
【００２４】
図１において、ガスメータ１９は、ガス流量を計測する流量計測部１１、異常時にガス流路を遮断するガス遮断弁１２、ガス使用量やガス遮断などのアラームを表示するメータ表示部１３、流量計測部１１の計測結果に基づき各種情報を生成、記憶する保安制御部１４、複数の相手先と情報の送受信を行う無線モジュール１５、無線の通信制御を行う無線制御部１６で構成されている。また、保安制御部１４は、メータのアラームを記憶する保安側アラーム記憶部１７、キャリアビジーなど無線通信異常に関するアラームを記憶する無線側アラーム記憶部１８を有している。
【００２５】
以上のように構成されたガスメータについて、以下その動作と作用を説明する。
【００２６】
まず、保安制御部１４で検出されたガス漏れや地震などによるガス遮断などの異常発生履歴は、メータアラームとして保安側アラーム記憶部１７に記憶される。
【００２７】
一方、無線制御部１６で検出された無線キャリアビジーやホップ数超過・隣接無線機がなく孤立状態にあるといった無線通信に関する異常発生履歴は、発生都度、保安制御部１４に送信され、無線アラームとして無線側アラーム記憶部１８に記憶される。
【００２８】
ガス保安あるいは無線通信に関する何らかの異常が発生すると、保安制御部１４は、保安側アラーム記憶部１７からメータアラームを、無線側アラーム記憶部１８から無線アラームをそれぞれ呼び出し、１つの情報に加工し、アラーム情報電文として、無線制御部１６、無線モジュール１５を介して、監視センター（図示せず）へ一括で送信する。
【００２９】
また、監視センターからアラーム情報要求を受けた場合も同様に、メータアラームと無線アラームとをアラーム情報電文として一括で送信する。
【００３０】
以上のように、本実施の形態においては、メータアラームと無線アラームとを１つの情報に加工し、アラーム情報電文として監視センターへ一括して送信することにより、メータの通信頻度を低減でき、通信による消費電力を削減し、監視センターの収集データや通信の管理の煩雑さを解消することができる。
【００３１】
なお、保安制御部１４と無線制御部１６を同一の回路基板上に構成して、ガスメータ１９の内部に収納してもよく、この場合、より安価で単純な構成のガスメータを実現することができる。
【００３２】
また、実施の形態１の保安制御部１４において、無線アラームをメータ表示部１３に表示するようにすると、監視センターと通信不能になった場合、表示部を確認することで、容易に故障診断が可能となる。
【産業上の利用可能性】
【００３３】
以上のように、本発明にかかるガスメータは、監視センターが、無線通信機能を備えたメータに対し、無線アラームとメータアラームを一括して取得することが可能となるので、無線通信機能を備えた水道メータや電力メータ等の用途にも適用できる。
【符号の説明】
【００３４】
１１  流量計測部
１２  ガス遮断弁
１３  メータ表示部
１４  保安制御部
１５  無線モジュール
１６  無線制御部
１７  保安側アラーム記憶部
１８  無線側アラーム記憶部
１９  ガスメータ
【図１】
2020085542.tif 000003
【図２】
2020085542.tif 000004